(57)【要約】      （修正有）【課題】接続手段が改良され、壊れることなく、異なる種類のプラグが識別可能な電気コネクタを提供する。【解決手段】電気コネクタは、ハウジング１と、複数の接続端子２と、シェル４と、を備える。ハウジング１は、前方に伸びてケースで挿入溝を有する舌部を形成し、後方に伸びてケースで２つのアームを形成する。シェル４は、舌部に対応する傾斜部４２０により形成され、開口の前方に形成される第一部片４１１１および収納空間に向かって形成される第一止部４１１２を含む第一係合部４１１、および、他側又は上方で形成され、開口の前方に形成される第二部片４２２１および収納空間に向かって形成される第二止部４２２２を含む第二係合部４２２を有し、ハウジング１と組み立てられる。【選択図】図１
0003177657.tif 000002
【実用新案登録請求の範囲】
【請求項１】
基部がケースの一部に構成され、前方に伸びる舌部が形成されるハウジングと、
前記舌部に接続される接続部、および、前記基部の他方に接続される第１はんだ尾部を有し、ＨＤＭＩ（登録商標）信号の送信を行うために１９ピンを含むことによりＨＤＭＩの規格と一致し、また、ディスプレイポート信号の送信を行うために、前記１９ピン以外の１つのプラス端子を備えることによりディスプレイポートの規格と一致する、前記ケースに組み込まれている複数の接続端子と、
前記舌部に一側の下方に対応する傾斜部により形成され、開口の前方に曲線状に形成される第一部片および収納空間に向かって形成される第一止部を含む第一係合部、および、前記第一係合部の他側又は上方に形成され、前記開口の前方に曲線状に形成される第二部片および収納空間に向かって形成される第二止部を含む第二係合部を有し、前記ハウジングと組み立てられるシェルと、
を備えることを特徴とする電気コネクタ。
【請求項２】
前記ケースのアームの上に設けられる本体部と、前記舌部の近傍に配置される弾性部と、前記基部の他方を設けられる第２はんだ尾部とを有し、前記ケースに取り付けられる検出端子をさらに備えることを特徴とする請求項１記載の電気コネクタ。
【請求項３】
前記シェルは、第一シェルおよび第二シェルによりシェルアセンブリを構成し、
前記第一シェルが前記第二シェルを嵌め込まれ、
前記第一係合部が前記第一シェルに設けられ、
前記第二係合部が前記第二シェルに設けられ
前記第二シェルに設けられた第三係合部が、前記第一係合部の垂直方向に形成され、
前記開口の前方に曲線状の第三部片が形成され、
前記第二係合部が前記第三係合部の水平方向に形成されることを特徴とする請求項１記載の電気コネクタ。
【考案の詳細な説明】
【技術分野】
【０００１】
本考案は、電気コネクタに係り、より具体的には、接続手段を改善可能な電気コネクタに関する。
【背景技術】
【０００２】
コンピュータ周辺機器間の通信技術は、マスデータのアップロード又はダウンロードのために、伝送ケーブルが採用される。伝送ケーブルのプラグは、装置のソケットに挿入するための媒介物であり、重要な要素としての役割を果たしている。
【０００３】
次世代の高精細度マルチメディアインタフェースであるＨＤＭＩ（登録商標）機構は、ＨＤＭＩ  Ｌｉｃｅｎｓｉｎｇ、ＬＬＣがライセンスを有する。なお、ディスプレイポート（ＤｉｓｐｌａｙＰｏｒｔ）は、ＶＥＳＡによって策定され、デジタル技術に対応すれば優れた入出力端子として使用される。
【０００４】
ＨＤＭＩは、一般に、１９つの端子を使用している。また、ディスプレイポートには、２０つの端子が採用されている。また、プラグの幅寸法は、別々のレイアウト設計の結果により生じる、２つの間のもう１つの相違点である。特許文献１および特許文献２に開示される電気コネクタは、ＨＤＭＩプラグおよびディスプレイポートプラグを挿入することができる。
【先行技術文献】
【特許文献】
【０００５】
【特許文献１】台湾実用新案公告第Ｍ３６２５４４号明細書
【特許文献２】台湾実用新案公告第Ｍ３３０６０８号明細書
【考案の概要】
【考案が解決しようとする課題】
【０００６】
従来のコネクタは、相互利用可能なポートを採用することによりサイズを減少することができ、コネクタの小型化を図るために、改良がなされている。しかし、ハウジングに構成された舌部をプラグに導引するためには、いろいろと問題が発生することもある。
【０００７】
ディスプレイポートプラグより小さいサイズであるＨＤＭＩプラグでは、従来技術において、確実的に挿入できる簡単な方法が提供されてない。したがって、ユーザーが正確にプラグを配置しようとするときには、プラグ安定性の障害が多く、舌部およびハウジングが損傷される虞がある。
嵌合手段の多くの方法を考慮すると、従来のコネクタは、２つのプラグの種類を識別するのに効率的な検出／配置方法が提供されていないため、最終的に販売製品自体に損害を与える虞があり、デバイスメーカー側における潜在的なリスクとなっている。
【０００８】
本願は、上述の問題点を解決するためになされたものであり、その目的は、接続手段が改良され、壊れることなく、異なる種類のプラグを識別可能な電気コネクタを提供することにある。
【課題を解決するための手段】
【０００９】
本考案の一態様では、電気コネクタは、ハウジングと、接続端子と、シェルと、を備える。ハウジングは、基部がケースの一部に構成され、前方に伸びる舌部が形成される。ケースに組み込まれている複数の接続端子は、舌部に接続される接続部を有し、基部の他方に接続される第１はんだ尾部を備える。また、接続端子は、ＨＤＭＩ信号の送信を行うために１９ピンを含むことによりＨＤＭＩの規格と一致し、ディスプレイポート信号の送信を行うために、１９ピン以外の１つのプラス端子を備えることにより、ディスプレイポートの規格を一致する。
【００１０】
ハウジングと組み立てられるシェルは、第１係合部および第２係合部を有する。舌部に一側の下方に対応する傾斜部により形成される第一係合部は、開口の前方に曲線状の第一部片が形成され、また、収納空間に向かって第一止部が形成される。第一係合部の他側又は上方に形成されるシェルの第二係合部は、開口の前方に曲線状の第二部片が形成され、また、収納空間に向かって第二止部を形成される。
【００１１】
本考案の他の態様では、電気コネクタは、ケースのアームの上に設けられた本体部と、舌部の近傍に配置される弾性部と、基部の他方を設けられた第２はんだ尾部とを有し、ケースに取り付けられる検出端子を備える。
【００１２】
本考案の他の態様では、シェルは、第一シェルと第二シェルによりシェルアセンブリを構成する。第一シェルは、第二シェルに嵌め込まれる。第一係合部は、第一シェルに設けられる。第二係合部は、第二シェルに設けられる。第二シェルに設けられた第三係合部は、第一係合部の垂直方向で形成される。開口の前方に曲線状の第三部片が形成される。また、第二係合部は、第三係合部の水平方向に形成される。
【考案の効果】
【００１３】
本考案の電気コネクタは、接続手段が改良され、異なるプラグを識別可能である。
【図面の簡単な説明】
【００１４】
【図１】本考案の一実施形態による電気コネクタを示す斜視図である。
【図２】本考案の一実施形態による電気コネクタを示す分解斜視図である。
【図３】本考案の一実施形態による電気コネクタを示す他の角度からの分解斜視図である。
【図４】本考案の一実施形態による電気コネクタを示す正面図である。
【図５】本考案の一実施形態による電気コネクタの伝送ケーブルにディスプレイポートプラグを接続した状態を示す正面図である。
【図６】本考案の一実施形態による電気コネクタの伝送ケーブルにＨＤＭＩプラグを接続した状態を示す正面図である。
【図７】本考案の一実施形態による電気コネクタを示す断面図である。
【図８】本考案の一実施形態による電気コネクタの伝送ケーブルにＨＤＭＩプラグを接続した状態を示す断面図である。
【図９】本考案の一実施形態による電気コネクタを示す断面図である。
【考案を実施するための形態】
【００１５】
以下、図面を参照して本考案の実施形態を説明する。
（一実施形態）
図１、図２および図３は、本考案の一実施形態による電気コネクタの斜視図、分解斜視図である。図１〜図３に示すように、電気コネクタは、ハウジング１、複数の接続端子２、検出端子３、および、シェルとしてのシェルアセンブリ４を備える。
【００１６】
ハウジング１は、ケース１１とブロック１２とで構成される。ケース１１は、基部１１１から前方に伸び、上部および下部に設けられている挿入溝１１２１を有する舌部１１２が形成される。また、ケース１１は、基部１１１から後方に伸び、内側に固着凹部１１３１を有する２つのアーム１１３が形成される。ブロック１２は、表面に複数の孔１２１が形成され、又、固着凹部１１３１と係合する固着凸部１２２を有する。
【００１７】
複数の接続端子２は、各端子が挿入溝１１２１に挿入される接続部２１を有している。また、接続端子２は、ブロック１２の孔１２１に挿入される第１はんだ尾部２２を有し、ケース１１に組み込まれる。複数の接続端子２は、ＨＤＭＩの送信を行うために１９ピンを含み、ＨＤＭＩの規格に一致しており、ディスプレイポートの送信を行うために、上記の１９ピン以外の１つのプラス端子を備え、ディスプレイポートの規格とも一致している。
【００１８】
検出端子３は、ケース１１に取り付けられており、アーム１１３の上に設けられる本体部３１と、舌部１１２の近傍に配置される弾性部３２と、ブロック１２の孔１２１に挿入される第２はんだ尾部３３とを備えている。
【００１９】
シェルアセンブリ４は、第一シェル４１および第二シェル４２を有し、ハウジング１と組み立てられる。さらに、第一シェル４１は、第二シェル４２に嵌め込まれる。第一シェル４１に設けられた第一係合部４１１は、舌部１１２の一側に形成され、検出端子３の弾性部３２の下にかかっている。第一係合部４１１は、シェルアセンブリ４の開口に曲線状の第一部片４１１１が形成される。また、第一シェル４１に向かって第一止部４１１２が形成される。第一部片４１１１は、第二シェル４２の傾斜部４２０に対応している。
【００２０】
第二シェル４２に設けられた第三係合部４２１は、第一係合部４１１の垂直方向に形成され、シェルアセンブリ４の開口に曲線状の第三部片４２１１が形成される。且つ、第二シェル４２に設けられた第二係合部４２２は、第三係合部４２１の水平方向に形成される。第二係合部４２２は、シェルアセンブリ４の開口に曲線状の第二部片４２２１が形成され、第一シェル４１に向かって第二止部４２２２が形成される。第一シェル４１の上に形成される少なくとも１つのラッチ４１２は、外部プラグをロックするために、シェルアセンブリ４の収納空間に形成される。
【００２１】
図４は、本実施形態による電気コネクタの構造の正面図である。図４に示すように、電気コネクタを組み立てるために、まず、複数の接続端子２は、各端子の接続部２１が挿入溝１１２１を有する舌部１１２に配置され、ケース１１の基部１１１に挿入される。検出端子３は、本体部３１がケース１１上のアーム１１３の１つに取り付けられ、且つ、弾性部３２が舌部１１２に突出するように保持される。
【００２２】
接続端子２また検出端子３に設けられるはんだ尾部２２、３３は、ブロック１２の孔１２１に挿入される。したがって、端子が載せられたブロック１２は、ケース１１に押しつけられ、固着凸部１２２が固着凹部１１３１と係合され、それぞれ固定される。
【００２３】
第一シェル４１が第二シェル４２内で組み立てられる。なお、ハウジング１が第二シェル４２内で組み立てられると、舌部１１２の底部とシェルアセンブリ４との間に収納空間が定義される。そして、第一部片４１１１が第二シェル４２の傾斜部４２０に対応し、第三係合部４２１が第一係合部４１１の垂直方向に形成され、第二係合部４２２が第三係合部４２１の水平方向に形成されることになる。
【００２４】
図６、図７、図８および図９は、本考案による電気コネクタの構造のさまざま正面図及び断面図である。これらの図面に示すように、ＨＤＭＩ／ディスプレイポートの輪郭線が電気コネクタ内にある状態を示す。また、電気コネクタがＨＤＭＩプラグを接続する場合の前／後の状態を示す。さらにまた、電気コネクタが所定のディスプレイポートプラグを接続する状態を示す。
【００２５】
具体的には、ディスプレイポートプラグ５は、収納空間に挿入されるとき、第一係合部４１１の第一部片４１１１、第三係合部４２１の第三部片４２１１及び第二係合部４２２の第二部片４２２１を押し付け、すべて係合部を物理的に歪める。このような歪みでは、第一部片４１１１と第二部片４２２１とは、元の位置の外に離間され、第一止部４１１２と第二止部４２２２とを収納空間から退出させることになる。従って、検出端子３の弾性部３２が一側に突き合わせる。なお、シェルアセンブリ４と接触することにより、検出信号が回路基板に送信され、そして、ディスプレイポートプラグ５が電気コネクタに接続される。
【００２６】
相対的に小さいＨＤＭＩプラグ６が収納空間に挿入されるとき、プラグ６の一側（例えば右）は、第二部片４２２１が元の位置の外に離間され、また第二止部４２２２を収納空間から退出させることを確保するために、傾斜部４２０の反対側に配置する必要がある。このように、ＨＤＭＩプラグ６の反対側（例えば左）は、第一止部４１１２で停止せずに通過し、最終的に、電気コネクタに接続される。或いは、ＨＤＭＩプラグ６を前述のように配置しないと、第一止部４１１２および第二止部４２２２は、ＨＤＭＩプラグ６を不利に停止することになる。そうだとすれば、ＨＤＭＩプラグ６が電気コネクタを接続することは、不可能である。
【００２７】
本実施形態による電気コネクタは、基板上に実装され、またプラグのタイプを検出する簡単な方法が提供される。検出端子３は、ディスプレイポートプラグ５が挿入されるときに、シェルアセンブリ４に触れる。送られる信号は、ディスプレイポート信号となる。検出端子３が任意のプラグに接触または突きされていない場合、送られる信号は、ＨＤＭＩ信号となる。
【００２８】
本実施形態では、第一シェル４１と第二シェル４２とが結合されてシェルアセンブリ４を構成する。例えば、他の実施形態では、１つまたは複数のシェルを使用している等に変更してもよい。
【００２９】
なお、以上は本考案の一実施形態の説明に過ぎず、本考案の請求範囲を限定するものではなく、本考案の明細書及び図面の内容に基づきなし得る簡易な修飾及び同じ効果を達成できる構造変化は、いずれも本考案の請求範囲内に属する。
【符号の説明】
【００３０】
１・・・・・・ハウジング
１１・・・・・ケース
１１１・・・・基部
１１２・・・・舌部
１１２１・・・挿入溝
１１３・・・・アーム
１１３１・・・固着凹部
１２・・・・・ブロック
１２１・・・・孔
１２２・・・・固着凸部
２・・・・・・接続端子
２１・・・・・接続部
２２・・・・・第１はんだ尾部
３・・・・・・検出端子
３１・・・・・本体部
３２・・・・・弾性部
３３・・・・・第２はんだ尾部
４・・・・・・シェルアセンブリ（シェル）
４１・・・・・第一シェル
４１１・・・・第一係合部
４１１１・・・第一部片
４１１２・・・第一止部
４１２・・・・ラッチ
４２・・・・・第二シェル
４２０・・・・傾斜部
４２１・・・・第三係合部
４２１１・・・第三部片
４２２・・・・第二係合部
４２２１・・・第二部片
４２２２・・・第二止部
５・・・・・・ディスプレイポートプラグ
６・・・・・・ＨＤＭＩプラグ
【図１】
0003177657.tif 000003
【図２】
0003177657.tif 000004
【図３】
0003177657.tif 000005
【図４】
0003177657.tif 000006
【図５】
0003177657.tif 000007
【図６】
0003177657.tif 000008
【図７】
0003177657.tif 000009
【図８】
0003177657.tif 000010
【図９】
0003177657.tif 000011